【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
ユーザ側の端末装置とコンテンツ配信業者のサーバ装置とがネットワークを介して接続されたコンテンツ配信システムにおいて、
上記端末装置に設けられ、上記ユーザがテキストを入力するための入力手段と、
上記端末装置又は上記サーバ装置に設けられ、上記テキストから第１の検索キーを抽出する検索キー抽出手段と、
上記端末装置又は上記サーバ装置に設けられ、抽出された上記第１の検索キーに基づいて、コンテンツを選択するコンテンツ選択手段と、
上記端末装置に設けられ、選択された上記コンテンツのコンテンツデータを当該端末装置内に保持していないときに、当該コンテンツの配信要求を上記サーバ装置に送信する配信要求送信手段と
を具えることを特徴とするコンテンツ配信システム。
【請求項２】
上記コンテンツは、
映像及び又は音楽データからなる映像及び又は音楽コンテンツである
ことを特徴とする請求項１に記載のコンテンツ配信システム。
【請求項３】
上記端末装置は、
上記テキストが入力されたときの各種状況を表す入力時状況情報を生成する入力状況時情報生成手段を具え、
上記検索キー抽出手段は、
上記入力時状況情報から第２の検索キーを抽出し、
上記コンテンツ選択手段は、
上記第１及び第２の検索キーに基づいて、上記コンテンツを選択する
ことを特徴とする請求項１に記載のコンテンツ配信システム。
【請求項４】
上記端末装置は、
上記コンテンツ選択手段により選択された上記コンテンツのコンテンツデータを当該端末装置内に保持しているときには、当該コンテンツデータを自動再生する
ことを特徴とする請求項１に記載のコンテンツ配信システム。
【請求項５】
上記コンテンツ選択手段は、
複数の上記コンテンツを選択し、
上記配信要求送信手段は
上記コンテンツ選択手段により選択された上記複数のコンテンツの中から、モード設定に応じて選択し又は上記ユーザにより指定された上記コンテンツの上記コンテンツデータを上記端末装置内に保持していないときに、当該コンテンツの配信要求を上記サーバ装置に送信する
ことを特徴とする請求項１に記載のコンテンツ配信システム。
【請求項６】
上記サーバ装置は、
登録された各上記ユーザの上記コンテンツの購入履歴を記憶する購入履歴記憶手段と、
上記端末装置からの上記配信要求に応じて、対応する上記コンテンツの上記コンテンツデータを当該端末装置に送信するコンテンツデータ送信手段と
を具え、
上記コンテンツデータ送信手段は、
上記購入履歴記憶手段に記憶された対応する上記ユーザの上記購入履歴に基づいて、上記配信要求があった上記コンテンツを当該ユーザが過去に購入しているときには正規版の上記コンテンツデータを当該端末装置に送信する一方、購入していないときには試し版の上記コンテンツデータを当該端末装置に送信する
ことを特徴とする請求項１に記載のコンテンツ配信システム。
【請求項７】
上記端末装置は、
上記サーバ装置から配信される上記コンテンツの上記試し版のコンテンツデータを再生する再生手段と、
ユーザ操作に応じて、上記コンテンツの購入依頼を上記サーバ装置に送信する購入依頼送信手段と
を具え、
上記サーバ装置の上記コンテンツデータ送信手段は、
上記購入依頼に応じて、当該コンテンツの上記正規版のコンテンツデータを上記端末装置に送信する
ことを特徴とする請求項６に記載のコンテンツ配信システム。
【請求項８】
ユーザ側の端末装置とコンテンツ配信業者のサーバ装置とがネットワークを介して接続されたネットワークシステムにおけるコンテンツ配信方法において、
上記ユーザが入力したテキストから第１の検索キーを抽出する第１のステップと、
抽出した上記第１の検索キーに基づいて、コンテンツを選択する第２のステップと、
選択された上記コンテンツのコンテンツデータを上記端末装置内に保持していないときに、当該コンテンツの配信要求を当該端末装置から上記サーバ装置に送信する第３のステップと
を具えることを特徴とするコンテンツ配信方法。
【請求項９】
ユーザが入力したテキストから第１の検索キーを抽出する検索キー抽出手段と、
抽出された上記第１の検索キーに基づいて、コンテンツを選択するコンテンツ選択手段と、
選択された上記コンテンツのコンテンツデータを保持していないときに、当該コンテンツの配信要求を外部装置に送信する配信要求送信手段と
を具えることを特徴とする情報処理装置。
【請求項１０】
上記コンテンツは、
映像及び又は音楽データからなる映像及び又は音楽コンテンツである
ことを特徴とする請求項９に記載の情報処理装置。
【請求項１１】
上記テキストが入力されたときの各種状況を表す入力時状況情報を生成する入力状況時情報生成手段を具え、
上記検索キー抽出手段は、
上記入力時状況情報から第２の検索キーを抽出し、
上記コンテンツ選択手段は、
上記第１及び第２の検索キーに基づいて、上記コンテンツを選択する
ことを特徴とする請求項９に記載の情報処理装置。
【請求項１２】
上記コンテンツ選択手段により選択された上記コンテンツのコンテンツデータを保持しているときには、当該コンテンツデータを自動再生する
ことを特徴とする請求項９に記載の情報処理装置。
【請求項１３】
上記コンテンツ選択手段は、
複数の上記コンテンツを選択し、
上記配信要求送信手段は
上記コンテンツ選択手段により選択された上記複数のコンテンツの中から、モード設定に応じて選択し又は上記ユーザにより指定された上記コンテンツの上記コンテンツデータを保持していないときに、当該コンテンツの配信要求を上記外部装置に送信する
ことを特徴とする請求項９に記載の情報処理装置。
【請求項１４】
上記配信要求に応じて上記外部装置から送信された上記コンテンツの試し版のコンテンツデータを再生する再生手段と、
ユーザ操作に応じて、上記コンテンツの購入依頼を上記外部装置に送信する購入依頼送信手段と
を具えることを特徴とする請求項９に記載の情報処理装置。
【請求項１５】
ユーザが入力したテキストから第１の検索キーを抽出する第１のステップと、
抽出した上記第１の検索キーに基づいて、コンテンツを選択する第２のステップと、
選択した上記コンテンツのコンテンツデータを保持していないときに、当該コンテンツの配信要求を外部装置に送信する第３のステップと
を具えることを特徴とする情報処理方法。
【請求項１６】
ユーザが入力したテキストから第１の検索キーを抽出する検索キー抽出手段と、
抽出された上記第１の検索キーに基づいて、コンテンツを選択するコンテンツ選択手段と、
登録された各上記ユーザの上記コンテンツの購入履歴を記憶する購入履歴記憶手段と、
上記コンテンツ選択手段により選択された上記コンテンツのコンテンツデータを外部装置が保持していないときに、当該外部装置から送信されるコンテンツの配信要求に応じて、対応する上記コンテンツの上記コンテンツデータを当該端末装置に送信するコンテンツデータ送信手段と
を具え、
上記コンテンツデータ送信手段は、
上記購入履歴記憶手段に記憶された対応する上記ユーザの上記購入履歴に基づいて、上記配信要求があった上記コンテンツを当該ユーザが過去に購入しているときには正規版の上記コンテンツデータを当該外部装置に送信する一方、購入していないときには試し版の上記コンテンツデータを当該外部装置に送信する
ことを特徴とする情報処理装置。
【請求項１７】
上記コンテンツは、
映像及び又は音楽データからなる映像及び又は音楽コンテンツである
ことを特徴とする請求項１６に記載の情報処理装置。
【請求項１８】
上記コンテンツデータ送信手段は、
上記コンテンツの上記試し版のコンテンツデータを送信した上記外部装置から送信される上記コンテンツの購入依頼に応じて、当該コンテンツの上記正規版のコンテンツデータを上記外部装置に送信する
ことを特徴とする請求項１６に記載の情報処理装置。
【請求項１９】
ユーザが入力したテキストから第１の検索キーを抽出する第１のステップと、
抽出された上記第１の検索キーに基づいて、コンテンツを選択する第２のステップと、
選択した上記コンテンツのコンテンツデータを外部装置が保持していないときに、当該外部装置から送信されるコンテンツの配信要求に応じて、当該コンテンツの上記コンテンツデータを当該外部装置に送信する第３のステップと
を具え、
上記第３のステップでは、
対応する上記ユーザの上記コンテンツの購入履歴に基づいて、上記配信要求があった上記コンテンツを当該ユーザが過去に購入しているときには正規版の上記コンテンツデータを当該外部装置に送信する一方、購入していないときには試し版の上記コンテンツデータを当該外部装置に送信する
ことを特徴とする情報処理方法。